(57)【要約】  耐薬品性が高く、配線が容易な内視鏡の提供を課題とする。被検体内に挿入される挿入部の先端部に撮像装置を備えた内視鏡であって、撮像装置は、受像面が挿入部の長手方向に交差して配置され、受像面にて結像された光学画像を光電変換する固体撮像素子と、固体撮像素子の受像面とは反対側の面に設けられた１以上の接続端子にそれぞれ接続される１以上の同軸ケーブル、および、１以上の同軸ケーブルの外周を覆う一括シールド線を備えるケーブル束と、ケーブル束を内部に挿通させる、金属製のパイプ状部材と、を備え、パイプ状部材は周面の少なくとも一部に切り欠き部を有し、ケーブル束の固体撮像素子側の端部において、１以上の同軸ケーブルの各シールド線、および、一括シールド線の少なくとも１つが、パイプ状部材の切り欠き部で半田、金属ろう、および、金属ペーストの少なくとも１つによりパイプ状部材に接合されている。
2019187629.tif 000002
【特許請求の範囲】
【請求項１】
被検体内に挿入される挿入部の先端部に撮像装置を備えた内視鏡であって、
前記撮像装置は、
受像面が前記挿入部の長手方向に交差して配置され、前記受像面にて結像された光学画像を光電変換する固体撮像素子と、
前記固体撮像素子の前記受像面とは反対側の面に設けられた１以上の接続端子にそれぞれ接続される１以上の同軸ケーブル、および、前記１以上の同軸ケーブルの外周を覆う一括シールド線を備えるケーブル束と、
前記ケーブル束を内部に挿通させる、金属製のパイプ状部材と、を備え、
前記パイプ状部材は周面の少なくとも一部に切り欠き部を有し、
前記ケーブル束の前記固体撮像素子側の端部において、前記１以上の同軸ケーブルの各シールド線、および、前記一括シールド線の少なくとも１つが、前記パイプ状部材の前記切り欠き部で半田、金属ろう、および、金属ペーストの少なくとも１つによりパイプ状部材に接合されている内視鏡。
【請求項２】
前記ケーブル束の前記固体撮像素子側の端部において、前記１以上の同軸ケーブルの各シールド線、および、前記一括シールド線の少なくとも２つが、前記パイプ状部材の前記切り欠き部で半田、金属ろう、および、金属ペーストの少なくとも１つによりパイプ状部材に接合されている請求項１に記載の内視鏡。
【請求項３】
前記固体撮像素子を内包するケース部材を有し、
前記パイプ状部材は、前記ケース部材に接合されている請求項１または２に記載の内視鏡。
【請求項４】
前記パイプ状部材と前記ケース部材との接合は、半田、金属ろう、および、金属ペーストの少なくとも１つによる接合、溶接、および、圧接の１以上によって行なわれている請求項３に記載の内視鏡。
【請求項５】
前記固体撮像素子の受像面側に配置される鏡筒を有し、
前記鏡筒は前記ケース部材に接合されている請求項３または４に記載の内視鏡。
【請求項６】
前記鏡筒は、前記鏡筒を保持するセンサホルダを介して前記ケース部材に接合されている請求項５に記載の内視鏡。
【請求項７】
前記鏡筒または前記センサホルダと前記ケース部材との接合は、半田、金属ろう、および、金属ペーストの少なくとも１つによる接合、溶接、および、圧接の１以上によって行なわれている請求項５または６に記載の内視鏡。
【請求項８】
前記固体撮像素子を内包するケース部材を有し、
前記パイプ状部材と前記ケース部材とが一体的に形成されている請求項１〜３のいずれか一項に記載の内視鏡。
【請求項９】
前記ケース部材は、前記パイプ状部材の少なくとも一部を内包し、少なくとも前記パイプ状部材の前記切り欠き部に対応する位置に開口部を有する請求項３〜８のいずれか一項に記載の内視鏡。
【請求項１０】
前記パイプ状部材は、前記ケーブル束が挿通可能な開口を有する請求項１〜９のいずれか一項に記載の内視鏡。
【発明の詳細な説明】
【技術分野】
【０００１】
本発明は、内視鏡に関する。
【背景技術】
【０００２】
内視鏡の挿入部の先端部に搭載される撮像装置は、一般に、固体撮像素子（イメージセンサ）と、固体撮像素子が実装される回路基板とを備え、挿入部に挿通された複数のケーブルが回路基板に接続される。【０００３】
また、回路基板を介さずにケーブルを固体撮像素子に直接接続する構成も提案されている。これにより、先端部のさらなる小型化、部品点数の削減（コスト低減）を図ることができる。【０００４】
例えば、特許文献１には、レンズ支持部材に複数のレンズを収容するレンズユニットと、撮像面が素子カバーガラスによって覆われる撮像素子と、撮像面の中心に複数のレンズのそれぞれの光軸を一致させたレンズユニットと素子カバーガラスとを固定する接着用樹脂と、最大外径が撮像素子の基板の外接円の直径に相当する有限径〜１．８ｍｍの範囲で形成される先端部と、レンズユニットの少なくとも一部及び撮像素子をモールド樹脂によって被覆して固定するモールド部と、先端部と同一外径で形成されてモールド部の少なくとも一部を覆って接続される管状のシースと、を備える内視鏡が記載されている。【０００５】
この特許文献１には、撮像素子の撮像面とは反対側の面に複数の伝送ケーブルが接続され、伝送ケーブルはモールド樹脂で覆われて固定されていることが記載されている。
【先行技術文献】
【特許文献】
【０００６】
【特許文献１】特開２０１７−０４６８５４号公報
【発明の概要】
【発明が解決しようとする課題】
【０００７】
内視鏡は、使用後に薬品を用いて消毒および／または滅菌する必要がある。
しかしながら、特許文献１の内視鏡のように、伝送ケーブルをモールド樹脂で覆って固定する構成では、モールド樹脂が薬品に弱いため、消毒および／または滅菌を繰り返すと、薬品によってモールド樹脂が劣化して伝送ケーブルが損傷してしまうおそれがある。また、モールド樹脂が劣化すると、モールド樹脂で伝送ケーブルを固定できなくなる。そのため挿入部を湾曲した際などに、伝送ケーブルが引っ張られてケーブル端部のはんだ部に負荷がかかって断線してしまうおそれがある。
また、伝送ケーブルをモールド樹脂で覆って固定する構成では、複数の伝送ケーブルの各シールド線同士を接続するのが煩雑になるという問題があった。【０００８】
本発明の課題は、このような問題点を解決することにあり、耐薬品性が高く、配線が容易な内視鏡を提供することにある。
【課題を解決するための手段】
【０００９】
本発明は、以下の構成によって課題を解決する。
［１］  被検体内に挿入される挿入部の先端部に撮像装置を備えた内視鏡であって、
撮像装置は、
受像面が挿入部の長手方向に交差して配置され、受像面にて結像された光学画像を光電変換する固体撮像素子と、
固体撮像素子の受像面とは反対側の面に設けられた１以上の接続端子にそれぞれ接続される１以上の同軸ケーブル、および、１以上の同軸ケーブルの外周を覆う一括シールド線を備えるケーブル束と、
ケーブル束を内部に挿通させる、金属製のパイプ状部材と、を備え、
パイプ状部材は周面の少なくとも一部に切り欠き部を有し、
ケーブル束の固体撮像素子側の端部において、１以上の同軸ケーブルの各シールド線、および、一括シールド線の少なくとも１つが、パイプ状部材の切り欠き部で半田、金属ろう、および、金属ペーストの少なくとも１つによりパイプ状部材に接合されている内視鏡。
［２］  ケーブル束の固体撮像素子側の端部において、１以上の同軸ケーブルの各シールド線、および、一括シールド線の少なくとも２つが、パイプ状部材の切り欠き部で半田、金属ろう、および、金属ペーストの少なくとも１つによりパイプ状部材に接合されている［１］に記載の内視鏡。
［３］  固体撮像素子を内包するケース部材を有し、
パイプ状部材は、ケース部材に接合されている［１］または［２］に記載の内視鏡。
［４］  パイプ状部材とケース部材との接合は、半田、金属ろう、および、金属ペーストの少なくとも１つによる接合、溶接、および、圧接の１以上によって行なわれている［３］に記載の内視鏡。
［５］  固体撮像素子の受像面側に配置される鏡筒を有し、
鏡筒はケース部材に接合されている［３］または［４］に記載の内視鏡。
［６］  鏡筒は、鏡筒を保持するセンサホルダを介してケース部材に接合されている［５］に記載の内視鏡。
［７］  鏡筒またはセンサホルダとケース部材との接合は、半田、金属ろう、および、金属ペーストの少なくとも１つによる接合、溶接、および、圧接の１以上によって行なわれている［５］または［６］に記載の内視鏡。
［８］  固体撮像素子を内包するケース部材を有し、
パイプ状部材とケース部材とが一体的に形成されている［１］〜［３］のいずれかに記載の内視鏡。
［９］  ケース部材は、パイプ状部材の少なくとも一部を内包し、少なくともパイプ状部材の切り欠き部に対応する開口部を有する［３］〜［８］のいずれかに記載の内視鏡。
［１０］  パイプ状部材は、ケーブル束が挿通可能な開口を有する［１］〜［９］のいずれかに記載の内視鏡。
【発明の効果】
【００１０】
本発明によれば、耐薬品性が高く、配線が容易な内視鏡を提供することができる。
【図面の簡単な説明】
【００１１】
【図１】本発明の内視鏡を用いる内視鏡システムの一例を概念的に示す図である。
【図２】本発明の内視鏡の一例を概念的に示す正面図である。
【図３】図２に示す内視鏡の側面図である。
【図４】図２に示す内視鏡の背面図である。
【図５】図２のｂ−ｂ線断面図である。
【図６】図２のｃ−ｃ線断面図である。
【図７】図２に示す内視鏡の一部を表す斜視図である。
【図８】図８の導電性接合部材の図示を省略した図である。
【図９】パイプ状部材の他の一例を模式的に示す斜視図である。
【図１０】内視鏡の製造方法の一例を説明するための図である。
【図１１】内視鏡の製造方法の一例を説明するための図である。
【図１２】内視鏡の製造方法の一例を説明するための図である。
【図１３】内視鏡の製造方法の一例を説明するための図である。
【図１４】内視鏡の製造方法の一例を説明するための図である。
【発明を実施するための形態】
【００１２】
以下、本発明の内視鏡の実施形態について、図面に基づいて説明する。
以下に記載する構成要件の説明は、本発明の代表的な実施態様に基づいてなされることがあるが、本発明はそのような実施態様に限定されるものではない。本明細書の図面において、視認しやすくするために各部の縮尺を適宜変更して示している。
なお、本明細書において、「〜」を用いて表される数値範囲は、「〜」の前後に記載される数値を下限値および上限値として含む範囲を意味する。
【００１３】
［内視鏡］
本発明の内視鏡は、
被検体内に挿入される挿入部の先端部に撮像装置を備えた内視鏡であって、
撮像装置は、
受像面が挿入部の長手方向に交差して配置され、受像面にて結像された光学画像を光電変換する固体撮像素子と、
固体撮像素子の受像面とは反対側の面に設けられた１以上の接続端子にそれぞれ接続される１以上の同軸ケーブル、および、１以上の同軸ケーブルの外周を覆う一括シールド線を備えるケーブル束と、
ケーブル束を内部に挿通させる、金属製のパイプ状部材と、を備え、
パイプ状部材は周面の少なくとも一部に切り欠き部を有し、
ケーブル束の固体撮像素子側の端部において、１以上の同軸ケーブルの各シールド線、および、一括シールド線の少なくとも１つが、パイプ状部材の切り欠き部で半田、金属ろう、および、金属ペーストの少なくとも１つによりパイプ状部材に接合されている内視鏡である。
【００１４】
図１に、本発明の内視鏡の一例を概念的に示す。
【００１５】
内視鏡システム１は、内視鏡２と、光源ユニット３と、プロセッサユニット４とを備える。内視鏡２は、後述する撮像装置１０の部分以外は、一般的な内視鏡と同様の構成を有する。内視鏡２は、被検体内に挿入される挿入部と、挿入部に連なる操作部と、操作部から延びるユニバーサルコードとを有し、挿入部は、先端部と、先端部に連なる湾曲部と、湾曲部と操作部とを繋ぐ軟性部とで構成されている。
【００１６】
先端部には、観察部位を照明するための照明光を出射する照明光学系や、観察部位を撮像する撮像装置及び撮像光学系などが設けられている。湾曲部は挿入部の長手軸と直交する方向に湾曲可能に構成されており、湾曲部の湾曲動作は操作部にて操作される。また、軟性部は、挿入部の挿入経路の形状に倣って変形可能な程に比較的柔軟に構成されている。
【００１７】
操作部には、先端部の撮像装置の撮像動作を操作するボタンや、湾曲部の湾曲動作を操作するノブなどが設けられている。また、操作部には、電気メスなどの処置具が導入される導入口が設けられており、挿入部の内部には、導入口から先端部に達し、鉗子等の処置具が挿通される処置具チャンネルが設けられている。
【００１８】
ユニバーサルコードの末端にはコネクタが設けられ、内視鏡２は、コネクタを介して、先端部の照明光学系から出射される照明光を生成する光源ユニット３、及び先端部の撮像装置によって取得される映像信号を処理するプロセッサユニット４と接続される。プロセッサユニット４は、入力された映像信号を処理して観察部位の映像データを生成し、生成した映像データをモニタに表示させ、また記録する。
【００１９】
挿入部及び操作部並びにユニバーサルコードの内部にはライトガイドや電線群（ケーブル束）が収容されている。光源ユニット３にて生成された照明光がライトガイドを介して先端部の照明光学系に導光され、先端部の撮像装置とプロセッサユニット４との間で信号や電力が電線群を介して伝送される。
【００２０】
内視鏡２の先端硬質部には、撮像装置２０と、処置具チャンネルの先端部とが設けられており、また、ライトガイドを介して光源ユニット３から導光される照明光を出射する照明光学系なども設けられる。
【００２１】
撮像装置２０のイメージセンサ２１及び鏡筒２２を保持したセンサホルダ２３は、例えばステンレス鋼材などの金属材料からなる先端硬質部に形成された収容孔に収容され、先端硬質部に固定されている。処置具チャンネルの先端部や照明光学系もまた、先端硬質部に形成された収容孔にそれぞれ収容され、先端硬質部に固定されている。
【００２２】
先端硬質部に固定されたセンサホルダ２３によって保持されているイメージセンサ２１の受像面２１ａは挿入部の長手軸に対して略垂直に配置されている。
【００２３】
図２から図８は、本発明の内視鏡２の挿入部６の先端硬質部に搭載された撮像装置の構成を示す。
図２は、内視鏡２の撮像装置２０の一例を概念的に示す正面図である。図２において、導電性接合部材４０の一部の図示を省略している。図３は、図２に示す撮像装置２０の側面図である。図４は、図２に示す撮像装置２０の背面図である。図５は、図１のｂ−ｂ線断面図である。図６は、図１のｃ−ｃ線断面図である。図７は、撮像装置２０の一部を示す斜視図である。図８は、図７において導電性接合部材の図示を省略した図である。
【００２４】
撮像装置２０は、ＣＣＤ（Charge Coupled Device）イメージセンサやＣＭＯＳ（Complementaly Metal Oxide Semiconductor）イメージセンサなどのイメージセンサ（固体撮像素子）２１と、イメージセンサ２１の受像面２１ａに被写体像を結像させる撮像光学系を収納した鏡筒２２と、イメージセンサ２１及び鏡筒２２を保持したセンサホルダ２３と、イメージセンサ２１の接続端子２６に接続される複数のケーブルを備えるケーブル束３２と、ケーブル束３２を内部に挿通させる金属（導体）製のパイプ状部材３０と、イメージセンサ２１及びパイプ状部材３０の一部を覆う金属（導体）製のケース部材２８と、ケーブルのシールド線の少なくとも１つをパイプ状部材３０の切り欠き部３０ａでパイプ状部材３０に接合する導電性接合部材４０と、を備える。本発明において、導電性接合部材４０は、半田、金属ろう、および、金属ペーストの少なくとも１つである。
【００２５】
センサホルダ２３は、撮像光学系の光軸に沿って移動可能に鏡筒２２を保持しており、鏡筒２２が移動されて撮像光学系に対するイメージセンサ２１の位置が調整可能となっている。鏡筒２２は、イメージセンサ２１の位置決めがなされた後に、例えば接着剤などによってセンサホルダ２３に固定される。
【００２６】
イメージセンサ２１は、その受像面２１ａが挿入部６の長手方向に交差して配置され、受像面２１ａにて結像された光学画像を光電変換する。受像面２１ａの法線方向に見た場合のイメージセンサ２１の外径は１ｍｍ四方以下である。イメージセンサ２１の受像面２１ａとは反対側の背面には信号や電力が入出力される複数の接続端子が設けられている。なお、図２等においては、複数の接続端子の一部（２つ）を符号２６ａおよび２６ｂで示しているが、図２等に示す例においては、４つの接続端子を有している。
【００２７】
各接続端子には、ケーブル束３２に含まれるケーブルが電気的に接続される。
ケーブル束３２は、イメージセンサ２１の受像面２１ａとは反対側の面に設けられた２以上の接続端子にそれぞれ接続される２以上の同軸ケーブル、および、２以上の同軸ケーブルの外周を覆う一括シールド線を備える。
図２〜図８に示す例においては、ケーブル束３２は、同軸ケーブル３３、単軸ケーブル３４、接地ケーブル３５および同軸ケーブル３６の４本のケーブルと、この４本のケーブルを内包する絶縁体を介して４本のケーブルの外周を覆う一括シールド線３２ａと、一括シールド線３２ａの外周を覆う保護被覆（シース）３２ｂとを有する。
【００２８】
図２、図８等に示すように、ケーブル束３２は、イメージセンサ２１側の端部において、シース３２ｂが剥離されて、一括シールド線３２ａ、ならびに、４本のケーブルが露出している。
本発明において、ケーブル束のイメージセンサ（固体撮像素子）側の端部とは、シース３２ｂが剥離されて、一括シールド線３２ａ、ならびに、ケーブルが露出した部分をいう。
【００２９】
同軸ケーブル３３は、内部導体３３ｂの周囲がシールド線３３ａによって電磁シールドされた同軸ケーブルであり、内部導体３３ｂと、内部導体３３ｂとシールド線３３ａの間の絶縁体と、シールド線３３ａと、シールド線３３ａの外周を覆うシースとを有する。
【００３０】
図２、図８等に示すように、同軸ケーブル３３は、イメージセンサ２１側の端部において、シースが剥離されて、シールド線３３ａ、ならびに、内部導体３３ｂが露出している。
露出した内部導体３３ｂの先端部は、イメージセンサ２１の接続端子２６ａに電気的に接続されている。
【００３１】
同軸ケーブル３６も同軸ケーブル３３と同様の構成を有し、イメージセンサ２１の接続端子に電気的に接続されている（図示せず）。
【００３２】
単軸ケーブル３４は、イメージセンサ２１に電力を供給するためのケーブルであり、内部導体３４ａと、内部導体３４ａの外周を覆うシースとを有する。
図２、図８等に示すように、単軸ケーブル３４は、イメージセンサ２１側の端部において、シースが剥離されて、内部導体３４ａが露出している。
露出した内部導体３４ａの先端部は、イメージセンサ２１の接続端子２６ｂに電気的に接続されている。
【００３３】
接地ケーブル３５は、イメージセンサ２１をグランドに接続するためのケーブルであり、内部導体３５ａと、内部導体３５ａの外周を覆うシースとを有する。
図２、図８等に示すように、接地ケーブル３５は、イメージセンサ２１側の端部において、シースが剥離されて、内部導体３５ａが露出している。
露出した内部導体３５ａの先端部は、イメージセンサ２１の接続端子に電気的に接続されている（図示せず）。
【００３４】
ケーブル束３２は、内視鏡の挿入部およびユニバーサルコード内に挿通されており、ケーブル束３２の複数のケーブルを介してイメージセンサ２１がプロセッサユニット４に接続されている。
【００３５】
ケーブル束３２は、その端部近傍がパイプ状部材３０に挿通されている。
パイプ状部材３０は、ケーブル束３２を内部に挿通させる、金属製の部材である。パイプ状部材３０は周面の少なくとも一部に切り欠き部３０ａを有する。パイプ状部材３０は、ケーブル束３２が挿通可能な開口を有するのが好ましい。
図２に示す例においては、パイプ状部材３０は、両端が開放された円筒形状の部材であり、その内径はケーブル束３２を挿通可能な大きさである。すなわち、パイプ状部材３０は、両端にケーブル束３２が挿通可能な開口を有する。パイプ状部材３０は、導電性を有する金属製である。
また、図２等に示すように、パイプ状部材３０は、周面の一部に切り欠き部３０ａを有する。パイプ状部材３０は、ケーブル束３２の長手方向において、ケーブル束３２の一括シールド線３２ａおよび同軸ケーブル３３のシールド線３３ａが露出した位置に切り欠き部３０ａが位置するように配置される。
【００３６】
ケース部材２８は、イメージセンサ２１を内包する部材である。
図２等に示す例では、ケース部材２８は、３面が開放された、中空の直方体形状の部材であり、長手方向に垂直な断面が略Ｕ形状（Ｃ形状）の部材である。
ケース部材２８は、長手方向をケーブル束３２の長手方向に一致させて、ケーブル束３２を保持するパイプ状部材３０の一部、および、イメージセンサ２１を内包（支持）している。
【００３７】
ケース部２８材は、パイプ状部材の少なくとも一部を内包し、少なくともパイプ状部材の切り欠き部に対応する位置に開口部を有するのが好ましい。図２に示す例では、ケース部材２８の最大の開放面（開口部２８ａ）は、パイプ状部材３０の切り欠き部３０ａ側に合わせて配置されている。
また、図４に示すように、ケース部材２８の裏面側（開口部２８ａとは反対側の面）には、貫通孔２９が形成されている。貫通孔２９部分において、半田、金属ろう、および、金属ペースト等（まとめて、導電性接合部材という）を用いて、ケース部材２８とパイプ状部材３０とが接合されている。
なお、ケース部材２８とパイプ状部材３０との接合方法は、溶接、圧接等の方法によって行なってもよい。また、ケース部材２８とパイプ状部材３０との接合位置もケース部材２８の裏面側に限定はされず、ケース部材２８とパイプ状部材３０とを接合できればどの位置で接合してもよい。
【００３８】
また、ケース部材２８内の一方の端部には、イメージセンサ２１が配置されている。ケース部材２８とイメージセンサ２１とは好ましくは、接着剤で接合されている。
また、ケース部材２８のイメージセンサ２１側の端部には、センサホルダ２３が接合されている。
ケース部材２８とセンサホルダとの接合方法は、上述の導電性接合部材を用いる方法、溶接、圧接等の方法によって行うことができる。
【００３９】
ここで、図２〜図８に示すように、ケーブル束３２のイメージセンサ２１側の端部において、同軸ケーブル３３のシールド線３３ａ、同軸ケーブル３６のシールド線３６ａおよびケーブル束３２の一括シールド線３２ａは、導電性接合部材４０で覆われており、パイプ状部材３０の切り欠き部３０ａでパイプ状部材３０に電気的に接合されている。
【００４０】
導電性接合部材４０は、半田、金属ろう、および、金属ペーストの少なくとも一種である。
半田としては、従来の内視鏡の配線基板等で用いられている各種の半田が利用可能である。
金属ろうとしては、従来の内視鏡の配線基板等で用いられている各種の金属ろうが利用可能である。
金属ペーストとしては、銀ペースト等の従来の内視鏡の配線基板等で用いられている各種の金属ペーストが利用可能である。
【００４１】
前述のとおり、従来、伝送ケーブルをモールド樹脂で覆って固定する構成では、モールド樹脂が薬品に弱いため、消毒および／または滅菌を繰り返すと、薬品によってモールド樹脂が劣化して伝送ケーブルが損傷してしまうおそれがあった。また、モールド樹脂が劣化すると、モールド樹脂で伝送ケーブルを固定できなくなる。そのため挿入部を湾曲した際などに、伝送ケーブルが引っ張られてケーブル端部のはんだ部に負荷がかかって断線してしまうおそれがある。
また、複数の伝送ケーブルの各シールド線同士を接続するのが煩雑であるという問題があった。
【００４２】
これに対して、本発明の内視鏡は、固体撮像素子の接続端子にそれぞれ接続される１以上の同軸ケーブル、および、１以上の同軸ケーブルの外周を覆う一括シールド線とを備えるケーブル束を金属製のパイプ状部材の内部に挿通させて、１以上の同軸ケーブルの各シールド線、および、一括シールド線の少なくとも１つを、パイプ状部材の切り欠き部で導電性接合部材によりパイプ状部材に接合する。
各シールド線（一括シールド線）を導電性接合部材でパイプ状部材に接合するため、薬品によって導電性接合部材が劣化することがなく、シールド線および一括シールド線を保護することができる。
また、シールド線および一括シールド線を固定している導電性接合部材は、半田、金属ろう、および、金属ペーストの少なくとも１つであるため、薬品によって劣化しにくい。そのため、消毒および／または滅菌を繰り返しても、シールド線および一括シールド線を固定した状態を維持することができる。従って、挿入部を湾曲した際などに、ケーブルが引っ張られてケーブル端部のはんだ部に負荷がかかって断線してしまう等の問題を抑制することができる。
また、各シールド線および一括シールド線を導電性接合部材で接合することで、シールド線同士の導通を確保することができ、配線が容易である。複数のシールド線の電位を一定にすることで、シールド線相互の電磁的干渉を防ぎノイズを低減できる。
【００４３】
ここで、図３に示す例においては、２本の同軸ケーブルのシールド線およびケーブル束３２の一括シールド線３２ａの全てが導電性接合部材４０によってパイプ状部材３０の切り欠き部３０ａに接合される構成としたが、これに限定はされず、複数の同軸ケーブルのシールド線およびケーブル束の一括シールド線の少なくとも１つが導電性接合部材によってパイプ状部材の切り欠き部でパイプ状部材に接合されていればよく、複数の同軸ケーブルのシールド線およびケーブル束の一括シールド線の少なくとも２つが導電性接合部材によってパイプ状部材の切り欠き部に接合されているのが好ましい。
【００４４】
また、図７に示す例のように、接地ケーブル３５の内部導体３５ａが導電性接合部材４０によってパイプ状部材３０の切り欠き部３０ａでパイプ状部材に接合されていてもよい。
また、図７に示す例のように、単軸ケーブル３４等の導電性接合部材４０と接合させたくないケーブルは導電性接合部材４０に接合しないようにしてもよい。
【００４５】
また、図３に示す例においては、導電性接合部材４０は、２本の同軸ケーブルのシールド線およびケーブル束３２の一括シールド線３２ａの全てを覆う大きさとしたが、図７に示す例のように、ケーブル束３２の一括シールド線３２ａを覆う大きさの導電性接合部材４０ａと、同軸ケーブルのシールド線を覆う大きさの導電性接合部材４０ｂのように複数に分割してもよい。
【００４６】
また、図８に示す例では、ケーブル束３２は、４本のケーブルを有する構成としたが、１以上の同軸ケーブルを有していればこれに限定はされず、１本〜３本のケーブルを有するものであってもよいし、５本以上のケーブルを有するものであってもよい。
また、図８に示す例では、ケーブル束３２は、２本の同軸ケーブルを有する構成としたが、これに限定はされず、１本の同軸ケーブルを有するものであってもよいし、３本以上の同軸ケーブルを有するものであってもよい。
【００４７】
また、図２に示す例では、パイプ状部材３０は、円筒形状で周面の一部に切り欠き部３０ａを有する構成としたが、導電性接合部材によってシールド線を接続可能であれば、これに限定はされない。
例えば、図９に示す例のように、円筒形状で周面に長手方向に平行なスリット状の切り欠き部を有する構成、すなわち、長手方向に垂直な断面が略Ｃ形状の部材としてもよい。
【００４８】
また、図２に示す例では、パイプ状部材３０は、シールド束３２を挿通可能な開口を有する円筒形状としたがシールド束３２を保持することができればこれに限定はされない。例えば、パイプ状部材は、円柱状の部材であって、周面にシールド束３２を保持可能なスリットを有する形状であってもよい。言い換えると、パイプ状部材は、長手方向に垂直な断面形状が略Ｃ形状の部材であってもよい。
【００４９】
また、図２等に示す例では、パイプ状部材３０とケース部材２８は別体として形成し、２つの部材を接合する構成としたが、これに限定はされず、パイプ状部材３０とケース部材２８とが一体的に形成されていてもよい。
【００５０】
また、図２等に示す例では、鏡筒２２はセンサホルダ２３を介してケース部材２８に接合される構成としたが、これに限定はされず、鏡筒２２が直接、ケース部材２８に接合されていてもよい。
【００５１】
また、同軸ケーブルのシールド線およびケーブル束の一括シールド線を導電性接合部材４０で覆い、さらに、パイプ状部材３０の切り欠き部３０ａ内、あるいは、ケースの開口部２８ａ内に樹脂モールドを充填する構成としてもよい。
【００５２】
また、パイプ状部材３０、ケース部材２８およびセンサホルダの材料としては、ステンレス、黄銅等の導電性を有するものであるのが好ましい。
【００５３】
次に、本発明の内視鏡が備える撮像装置の製造方法について図１０〜図１４を用いて説明する。
【００５４】
まず、図１０に示すように、ケーブル束３２の先端部にパイプ状部材３０を挿通して、ケーブル束３２の各ケーブルの内部導体をそれぞれイメージセンサ２１の接続端子２６に接続する。内部導体と接続端子２６との接続は、半田、金属ろう、および、金属ペースト等によって行うことができる。
【００５５】
次に、図１１に示すように、各ケーブルのシールド線およびケーブル束３２の一括シールド線３２ａを導電性接合部材４０によってパイプ状部材３０の切り欠き部３０ａでパイプ状部材３０に接合する。
前述のとおり、導電性接合部材４０は、半田、金属ろう、および、金属ペーストのいずれかであるので、用いる材料に応じた方法で、導電性接合部材４０でシールド線とパイプ状部材３０とを接合すればよい。
【００５６】
なお、シールド線および一括シールド線３２ａを導電性接合部材４０によってパイプ状部材３０の切り欠き部３０ａでパイプ状部材３０に接合した後に各ケーブルの内部導体をそれぞれイメージセンサ２１の接続端子２６に接続してもよい。
【００５７】
次いで、図１２および図１３に示すように、パイプ状部材３０の一部およびイメージセンサ２１を内包するように、ケース部材２８をパイプ状部材３０に接合する。その際、パイプ状部材３０の切り欠き部３０ａの向きとケース部材２８の開口部２８ａとを合わせるのが好ましい。また、イメージセンサ２１の受像面２１ａとケース部材２８の端面とを面一にするのが好ましい。
前述のとおり、ケース部材２８とパイプ状部材３０との接合は、導電性接合部材（半田、金属ろう、および、金属ペースト）を用いる方法、溶接、圧接等の方法で行うことができる。
【００５８】
その後、図１４に示すように、ケース部材２８のイメージセンサ２１側の端面に、鏡筒２２を保持したセンサホルダ２３を接合する。
前述のとおり、ケース部材２８とセンサホルダ２３との接合は、導電性接合部材（半田、金属ろう、および、金属ペースト）を用いる方法、溶接、圧接等の方法で行うことができる。
以上により、内視鏡の撮像装置が作製される。
【００５９】
以上、本発明の内視鏡について詳細に説明したが、本発明は上記の態様に限定はされず、本発明の要旨を逸脱しない範囲において、種々、改良や変更を行ってもよい。
【符号の説明】
【００６０】
１  内視鏡システム
２  内視鏡
３  光源ユニット
４  プロセッサユニット
５  モニタ
６  挿入部
７  操作部
８  ユニバーサルコード
９  コネクタ
１０  先端部
１１  湾曲部
１２  軟性部
１３  導入口
１４  処置具チャンネル
２０  撮像装置
２１  固体撮像素子（イメージセンサ）
２１ａ  受像面
２２  鏡筒
２３  センサホルダ
２６  接続端子
２８  ケース部材
３０  パイプ状部材
３０ａ  切り欠き部
３２  ケーブル束
３２ａ  一括シールド線
３２ｂ  保護被覆（シース）
３３、３６  同軸ケーブル
３３ａ、３６ａ  シールド線
３３ｂ、３４ａ、３５ａ、３６ｂ  内部導体
３４  単軸ケーブル
３５  接地ケーブル
４０、４０ａ、４０ｂ  導電性接合部材
【図１】
2019187629.tif 000003
【図２】
2019187629.tif 000004
【図３】
2019187629.tif 000005
【図４】
2019187629.tif 000006
【図５】
2019187629.tif 000007
【図６】
2019187629.tif 000008
【図７】
2019187629.tif 000009
【図８】
2019187629.tif 000010
【図９】
2019187629.tif 000011
【図１０】
2019187629.tif 000012
【図１１】
2019187629.tif 000013
【図１２】
2019187629.tif 000014
【図１３】
2019187629.tif 000015
【図１４】
2019187629.tif 000016
【国際調査報告】
2019187629.tif 000017
2019187629.tif 000018
2019187629.tif 000019